(57)【要約】【課題】  操作性を向上させ好適な撮影ができる眼底撮影装置を提供する。【解決手段】  眼底撮影装置は、被検者眼に対し前後左右に移動される移動台と、被検者眼に投影するアライメント指標の検出結果に基づき移動台に対して前後左右に移動可能な撮影部と、撮影部と被検者眼とのアライメントを自動的に行う自動アライメントモードと，撮影部と被検者眼とのアライメントを手動で行う手動アライメントモードとを切換えるモード切換手段と、手動アライメントモードにおいて移動台に対する撮影部の前後の固定位置を自動アライメントモードでの撮影部の前後の基準位置より前側とする移動制御手段とを備える。【選択図】      図４
2011005005.tif 000002
【特許請求の範囲】
【請求項１】
被検者眼に対して前後左右方向に移動される移動台と、
被検者眼の眼底を撮影するための撮影光学系を搭載し前記移動台上に載置される撮影部であって，被検者眼に投影するアライメント指標の検出結果に基づいて前記移動台に対して前後左右に移動可能な撮影部と、
前記検出結果に基づき前記撮影部と被検者眼とのアライメントを自動的に行うための自動アライメントモードと，前記撮影部と被検者眼とのアライメントを手動で行うための手動アライメントモードとを切換えるモード切換手段と、
前記手動アライメントモードにおいて前記移動台に対する前記撮影部の前後方向の固定位置を前記自動アライメントモードにおける前記撮影部の前後方向の基準位置より前側とする移動制御手段と、
を備えることを特徴とする眼底撮影装置。
【請求項２】
請求項１の眼底撮影装置において、前記自動アライメントモードにおける前記撮影部の前後方向の基準位置は、自動アライメントにおける前後方向の移動範囲の中間位置、または該中間位置よりも後側に設定されていることを特徴とする眼底撮影装置。
【請求項３】
請求項２の眼底撮影装置において、前記移動制御手段は前記モード切替手段による手動アライメントモードの選択に基づいて前記撮影部の固定位置を移動可能範囲における最前位置とさせることを特徴とする眼底撮影装置。
【請求項４】
請求項３の眼底撮影装置は、さらに被検者眼の前眼部を撮影する前眼部撮影モードに切換える前眼部撮影切換手段を備え、前記移動制御手段は前眼部切換手段により前眼部撮影モードが選択されたときに前記撮影部の固定位置を前記前後方向の基準位置より後側とさせることを特徴とする眼底撮影装置。
【請求項５】
請求項４の眼底撮影装置において、
前記基台に対する前記移動台の左右方向の位置を検出するための左右位置検出手段とを備え、
前記移動制御手段は、前記左右検出手段により前記移動台が被検者眼に対して左側に位置していることが検出された場合に前記駆動部の駆動により前記装置本体を基準位置から左側に移動させ、前記移動台が被検者眼に対して右側に位置していることが検出されたときに前記駆動部の駆動により前記装置本体を基準位置から右側に移動させることを特徴とする眼底撮影装置。
【発明の詳細な説明】
【技術分野】
【０００１】
本発明は、被検者眼の眼底を撮影する眼底撮影装置に関する。
【背景技術】
【０００２】
従来、眼底カメラ等の被検者眼の眼底を撮影する眼底撮影装置においては、被検者眼と撮影部とのアライメントは、被検者眼に固視灯を固視させた状態で、検者がジョイスティック等を操作する手動アライメントが一般的であった。手動アライメントとしては、モニタに表示される前眼部像を見ながら位置合わせを行い、前眼部と撮影部との位置合わせを行った後、モニタに眼底像を表示させてフォーカス合わせを行う方法が知られている。
【０００３】
また、近年、検者によるアライメント作業を改善すべく、被検者眼と撮影光学系を備える撮影部とのアライメント状態を自動検出し、その検出結果に基づいて撮影部を駆動制御させる自動アライメント機能と、従来の手動アライメント機能とをもつ眼底撮影装置が提案されている（例えば、特許文献１参照）。
【先行技術文献】
【特許文献】
【０００４】
【特許文献１】特開２００６−１４９９８１号公報
【発明の概要】
【発明が解決しようとする課題】
【０００５】
ところで、自動アライメントにおいては、被検者眼と撮影部とが所定のアライメント条件を満たすように、撮影部が自動的に３次元方向（ＸＹＺ方向）に移動されるため、自由度の高い撮影ができるようになる。一方、手動アライメントモードでは、撮影部が所定位置に固定された状態でアライメントの操作がされるために、自動アライメントと同様の移動範囲を撮影部に与えることが難しい。
【０００６】
本発明は、上記従来技術の問題点に鑑み、手動アライメント機能と自動アライメント機能とを有する眼底撮影装置において、操作性を向上させ好適に撮影を行うことのできる眼底撮影装置を提供することを技術課題とする。
【課題を解決するための手段】
【０００７】
上記課題を解決するために、本発明は以下のような構成を備えることを特徴とする。
【０００８】
（１）  被検者眼に対して前後左右方向に移動される移動台と、被検者眼の眼底を撮影するための撮影光学系を搭載し前記移動台上に載置される撮影部であって，被検者眼に投影するアライメント指標の検出結果に基づいて前記移動台に対して前後左右に移動可能な撮影部と、前記検出結果に基づき前記撮影部と被検者眼とのアライメントを自動的に行うための自動アライメントモードと，前記撮影部と被検者眼とのアライメントを手動で行うための手動アライメントモードとを切換えるモード切換手段と、前記手動アライメントモードにおいて前記移動台に対する前記撮影部の前後方向の固定位置を前記自動アライメントモードにおける前記撮影部の前後方向の基準位置より前側とする移動制御手段と、を備えることを特徴とする。
（２）  （１）の眼底撮影装置において、前記自動アライメントモードにおける前記撮影部の前後方向の基準位置は、自動アライメントにおける前後方向の移動範囲の中間位置、または該中間位置よりも後側に設定されていることを特徴とする。
（３）  （２）の眼底撮影装置において、前記移動制御手段は前記モード切替手段による手動アライメントモードの選択に基づいて前記撮影部の固定位置を移動可能範囲における最前位置とさせることを特徴とする。
（４）  （３）の眼底撮影装置は、さらに被検者眼の前眼部を撮影する前眼部撮影モードに切換える前眼部撮影切換手段を備え、前記移動制御手段は前眼部切換手段により前眼部撮影モードが選択されたときに前記撮影部の固定位置を前記前後方向の基準位置より後側とさせることを特徴とする。
（５）  （４）の眼底撮影装置において、前記基台に対する前記移動台の左右方向の位置を検出するための左右位置検出手段とを備え、前記移動制御手段は、前記左右検出手段により前記移動台が被検者眼に対して左側に位置していることが検出された場合に前記駆動部の駆動により前記装置本体を基準位置から左側に移動させ、前記移動台が被検者眼に対して右側に位置していることが検出されたときに前記駆動部の駆動により前記装置本体を基準位置から右側に移動させることを特徴とする。
【発明の効果】
【０００９】
本発明によれば、手動アライメント機能と自動アライメント機能とを有する眼底撮影装置において、操作性を向上させ好適に撮影を行うことができる。
【発明を実施するための形態】
【００１０】
以下、本発明に係る実施形態を図面に基づいて説明する。図１は本実施形態に係る眼底撮影装置の一種である眼底カメラの外観構成を示した図である。
眼底カメラは、基台１と、基台１に対して前後方向（Ｚ方向）及び左右方向（Ｘ方向）に移動可能な移動台２と、移動台２に対して３次元方向に移動可能に設けられ後述する光学系を収納する撮影部（装置本体）３と、被検者の顔を支持するために基台１に固設された顔支持ユニット５を備える。
【００１１】
移動台２は、操作部材であるジョイスティック４の操作により基台１上を被検者眼Ｅに対してＸ方向，Ｚ方向に所定の稼動範囲Ｄｘ，Ｄｚで移動可能とされる。また、撮影部３は、移動台２に設けられたＸＺ駆動部７、及びＹ駆動部６により、被検者眼Ｅに対してＸＹＺ方向に所定の稼動範囲ｄｘ，ｄｙ，ｄｚで移動可能とされている。なお、Ｙ駆動部６は、回転ノブ４ａの回転操作により駆動される。
【００１２】
また、基台１には、移動台２が稼動範囲Ｄｚで検者側の移動限界Ａに達したことを検出するためのセンサ１０ａと、移動台２の左右方向を検出するための左右位置検出手段であるセンサ１０ｂが設けられている。センサ１０ａは移動台２が稼動範囲Ｄｚの移動限界Ａに達したことが検出可能な位置に配置されれば良い。センサ１０ｂは稼動範囲Ｄｘの距離の中間位置に配置される。ここでは、センサ１０ａ、１０ｂにはフォトインタラプタ等の光学センサが使用され、基台１に対する移動台２の位置関係が光学的に検知される。これ以外にも、センサ１０ａ、１０ｂには機械的スイッチが使用できる。
【００１３】
撮影部３の検者側には、眼底観察像や眼底撮影像を表示する表示部であるモニタ８が設けられている。モニタ８の周辺には、各種条件設定を行うためのスイッチ部９０が配置されている（スイッチ部９０の詳細な説明は後述する）。また、移動台２にはモニタ８に表示させる画像を前眼部像と眼底像とで交互に切換えるための前眼／眼底切換スイッチ２ａが配置されている。
【００１４】
図２は、撮影部３に収納される光学系及び制御系の概略構成図である。光学系は、照明光学系１０、眼底観察・撮影光学系３０、フォーカス指標投影光学系４０、アライメント指標投影光学系５０、前眼部観察光学系６０、固視標呈示光学系７０から大別構成されている。
【００１５】
＜照明光学系＞  照明光学系１０は、観察照明光学系と撮影照明光学系を有する。撮影照明光学系は、フラッシュランプ等の撮影光源１４、コンデンサレンズ１５、リング状の開口を有するリングスリット１７、リレーレンズ１８、ミラー１９、中心部に黒点を有する黒点板２０、リレーレンズ２１、孔あきミラー２２、対物レンズ２５を有する。また、観察照明光学系は、ハロゲンランプ等の光源１１、波長７５０ｎｍ以上の近赤外光を透過する赤外フィルタ１２、コンデンサレンズ１３、コンデンサレンズ１３とリングスリット１７との間に配置されたダイクロイックミラー１６、リングスリット１７から対物レンズ２５までの光学系を有する。ダイクロイックミラー１６は、赤外光を反射し可視光を透過する特性を持つ。
【００１６】
＜眼底観察・撮影光学系＞  眼底観察・撮影光学系３０は、対物レンズ２５、孔あきミラー２２の開口近傍に位置する撮影絞り３１、光軸方向に移動可能なフォーカシングレンズ３２、結像レンズ３３、眼底撮影時には挿脱機構３９により光路から挿脱可能な跳ね上げミラー３４を備え、撮影光学系と眼底観察光学系は対物レンズ２５と撮影絞り３１から結像レンズ３３までの光学系を共用する。撮影絞り３１は対物レンズ２５に関して被検者眼Ｅの瞳孔と略共役な位置に配置されている。フォーカシングレンズ３２は、モータを備える移動機構４９により光軸方向に移動される。３５は可視域に感度を有する撮影用二次元撮像素子である。跳ね上げミラー３４の反射方向の光路には、赤外光反射、可視光透過の特性を有するダイクロイックミラー３７、リレーレンズ３６、赤外域に感度を有する観察用二次元撮像素子３８が配置されている。
【００１７】
対物レンズ２５と孔あきミラー２２の間には、光路分岐部材としての挿脱可能なダイクロイックミラー（波長選択性ミラー）２４が斜設されている。ダイクロイックミラー２４は、アライメント指標投影光学系５０及び前眼部照明光源５８の波長光（中心波長９４０ｎｍ）を反射し、眼底観察用照明の波長光及びフォーカス指標投影光学系４０の光源波長（中心波長８８０ｎｍ）を含む波長９００ｎｍ以下を透過する特性を有する。撮影時には、ダイクロイックミラー２４は挿脱機構６６により連動して跳ね上げられ、光路外に退避する。挿脱機構６６は、ソレノイドとカム等により構成することができる。
【００１８】
観察用の光源１１を発した光束は、赤外フィルタ１２により赤外光束とされ、コンデンサレンズ１３、ダイクロイックミラー１６により反射されてリングスリット１７を照明する。リングスリット１７を透過した光は、リレーレンズ１８、ミラー１９、黒点板２０、リレーレンズ２１を経て孔あきミラー２２に達する。孔あきミラー２２で反射された光は、ダイクロイックミラー２４を透過し、対物レンズ２５により被検者眼Ｅの瞳孔付近で一旦収束した後、拡散して被検者眼Ｅ眼底部を照明する。眼底からの反射光は、対物レンズ２５、ダイクロイックミラー２４、孔あきミラー２２の開口部、撮影絞り３１、フォーカシングレンズ３２、結像レンズ３３、跳ね上げミラー３４、ダイクロイックミラー３７、リレーレンズ３６を介して撮像素子３８に結像する。
【００１９】
撮影光源１４の発光により、眼底は可視光により照明され、眼底からの反射光は対物レンズ２５、孔あきミラー２２の開口部、撮影絞り３１、フォーカシングレンズ３２、結像レンズ３３、跳ね上げミラー３４を経て二次元撮像素子３５に結像する。また、ここでは、補正レンズ５５が図示なき駆動機構により光軸Ｌ１上に挿脱可能に配置される。補正レンズ５５としては眼底観察時に眼底にある焦点を被検者眼Ｅの角膜上に位置させるパワーを有する凸レンズが使用される。補正レンズ５５が光軸Ｌ１上に配置されることで、眼底観察・撮影光学系３０を利用して、前眼部撮影が行われる。
【００２０】
＜フォーカス指標投影光学系＞  フォーカス指標投影光学系４０は、赤外光源４１、スリット指標板４２、このスリット指標板４２に取り付けられた２つの偏角プリズム４３、投影レンズ４７、照明光学系１０の光路に斜設されたスポットミラー４４を備える。スポットミラー４４はレバー４５の先端に固着されていて、通常は光軸に斜設されるが、撮影時にはロータリソレノイド４６の軸の回転で、光路外に退避させられる。なお、スポットミラー４４は被検者眼Ｅの眼底と共役な位置に配置される。光源４１、スリット指標板４２、偏角プリズム４３、投影レンズ４７、スポットミラー４４及びレバー４５は、フォーカシングレンズ３２と連動して移動機構４９により光軸方向に移動される。また、フォーカス指標投影光学系４０のスリット指標板４２の光束は、偏角プリズム４３及び投影レンズ４７を介してスポットミラー４４により反射された後、リレーレンズ２１、孔あきミラー２２、ダイクロイックミラー２４、対物レンズ２５を経て被検者眼Ｅの眼底に投影される。眼底のフォーカスが合っていないとき、スリット指標板４２の指標像は分離され、フォーカスが合っているときに一致して投影される。そして、被検者眼Ｅの眼底上に投影されたフォーカス指標像は、眼底観察用の撮像素子３８によって眼底像と共に撮像される。
【００２１】
＜アライメント指標投影光学系＞  アライメント用指標光束を投影するアライメント指標投影光学系５０は、撮影光軸Ｌ１を中心に左右方向に対称に配置された赤外光源５１とコリメーティングレンズ５２を持つ第１指標投影光学系と、前述の第１指標投影光学系より狭い角度に配置された光軸を持ち光軸Ｌ１が通る垂直平面を挟んで左右対称に配置された第２指標投影光学系であって２つの赤外光源５３を持つ第２指標投影光学系と、を備える。第１指標投影光学系は被検者眼Ｅの角膜に無限遠の指標を投影し、第２指標投影光学系は被検者眼Ｅの角膜に有限遠の指標を投影する構成となっている。なお、第２指標投影光学系は、投影される指標光束が被検者眼の瞳孔にかからないように、第１指標投影光学系によりも下側に設けられている。
【００２２】
＜前眼部観察光学系＞  前眼部観察光学系６０は、ダイクロイックミラー２４の反射側に、フィールドレンズ６１、ミラー６２、絞り６３、リレーレンズ６４、赤外域の感度を持つ二次元撮像素子６５を備える。また、二次元撮像素子６５はアライメント指標検出用の撮像手段を兼ね、中心波長９４０ｎｍの赤外光を発する前眼部照明光源５８により照明された前眼部とアライメント指標が撮像される。前眼部照明光源５８により照明された前眼部は、対物レンズ２５、ダイクロイックミラー２４及びフィールドレンズ６１からリレーレンズ６４の光学系を介して二次元撮像素子６５により受光される。また、アライメント指標投影光学系５０が持つ光源の点灯により、前眼部に投影されたアライメント指標が二次元撮像素子６５に受光される。二次元撮像素子６５の出力は制御部８０に入力され、図３に示すようにモニタ８には二次元撮像素子６５に撮像された前眼部像Ｆが表示される。なお、前眼部観察光学系６０は、被検者眼Ｅに対する装置本体のアライメント状態を検出する役割を兼用する。
【００２３】
＜固視標呈示光学系＞  被検者眼Ｅの視線を誘導するための固視標呈示光学系７０は、赤色の光源７４、開口穴が形成された複数の遮光板７１を持つディスク板７２、リレーレンズ７５を備え、ダイクロイックミラー３７を介して跳ね上げミラー３４から対物レンズ２５までの観察光学系３０の光路を共用する。複数の遮光板７１には、それぞれ異なる位置に開口穴が形成されている。ディスク板７２はパルスモータ７３により回転駆動され、各遮光板７１が選択的に光源７４の前に配置されることにより、固視標の呈示位置が変更される。各遮光板７１を光源７４の前に配置させるためのパルス数は、予め制御部８０に記憶されている。固視標からの光束は、リレーレンズ７５、ダイクロイックミラー３７、跳ね上げミラー３４、結像レンズ３３、フォーカシングレンズ３２、孔あきミラー２２、ダイクロイックミラー２４、対物レンズ２５を通過して被検者眼Ｅ眼底に集光し、被検者は開口からの光束を固視標として視認する。
【００２４】
＜制御系＞  二次元撮像素子６５、３８、３５の出力は制御部８０に接続されている。制御部８０は二次元撮像素子６５に撮像された前眼部画像からアライメント指標を検出処理し、二次元撮像素子３８に撮像された眼底画像からフォーカス指標を検出処理する。また、制御部８０はモニタ８に接続され、その表示画像を制御する。制御部８０には、他に、Ｙ駆動部６、ＸＺ駆動部７、センサ１０ａ及び１０ｂ、移動機構４９、挿脱機構３９、挿脱機構６６、回転ノブ４ａ、撮影スイッチ４ｂ、記憶手段としてのメモリ８５、各種のスイッチを持つスイッチ部９０、各光源等が接続されている。
【００２５】
スイッチ部９０には、被検者眼Ｅと撮影部３とのアライメント状態の検出結果に基づき撮影部３を駆動制御させる自動アライメントモードと、検者によるジョイスティック４の操作で被検者眼Ｅと撮影部３とのアライメントを行う手動アライメントとを切換えるモード切換手段であるモード切換スイッチ９１、手動アライメントが設定された状態で撮影部３による撮影対象を眼底と前眼部とで切換える撮影切換スイッチ９２、眼底像のフォーカス調整を行うためのフォーカス調整スイッチ９３等が配置されている。
【００２６】
以上のような構成を備える眼底カメラの動作について、自動アライメントモードと手動アライメントモードとのそれぞれについて説明する。
自動アライメントモードでの測定に際して、検者はモード切換スイッチ９１の操作により自動アライメントモードに設定する。なお、本実施形態では自動アライメントモードに設定されると、制御部８０の駆動制御によりＸＺ駆動部７を駆動させて、撮影部３の初期位置を稼動範囲ｄｘ，ｄｚの中間位置に置くようにする。この初期位置が自動アライメントモードにおける撮影部３の基準位置となる。被検者の顔を顔支持ユニット５により支持した後、固視標７４を固視するように指示する。
【００２７】
被検者の用意が出来たら、検者はジョイスティック４を用いて移動台２を手前側（検者側）に引き、前眼部の全体像を観察しやすいようにする。次に移動台２を被検者眼に向けて前進させていくことにより、二次元撮像素子６５で撮像された前眼部像がモニタ８に表示されると共に、指標像Ｍａ〜Ｍｄが検出されて自動アライメントが可能になる。なお、モニタ８の中央（画面中央）には、制御部８０によってレチクルＭと撮影可能な最小瞳孔径を表す円形マークＰとが電子的に形成されている（図３参照）。制御部８０は、指標像Ｍａ，Ｍｂの中間位置を角膜頂点位置とし、予め撮像素子６５上に設定されているアライメント基準位置に対する指標像Ｍａ，Ｍｂによって求められる角膜頂点位置のアライメント状態（変位量）を検出する。そして制御部８０は、検出結果に基づいて撮影部３が所定のアライメント許容範囲内に位置するようにＸＹ方向のアライメントを行う。また、制御部８０は無限遠光による指標像Ｍａ，Ｍｂの間隔と、有限遠光による指標像Ｍｃ，Ｍｄの間隔とを比較することにより、Ｚ方向のアライメント状態を検出して撮影部３のＺ方向のアライメントを行う。なお、撮影部３は移動台２に対してＸＺ方向に均等に稼動可能なように、稼動範囲ｄｚ及び稼動範囲ｄｘの中央位置（例えば、前後左右にそれぞれ±５ｍｍ稼動可能な位置）を基準位置（センタリング位置）として置かれている。
【００２８】
被検者眼Ｅと撮影部３とのアライメントが完了すると、制御部８０は二次元撮像素子３８に撮像された眼底画像からフォーカス指標を検出し、検出結果に基づいてフォーカシングレンズ３２、及びフォーカス指標投影光学系を光軸方向に移動させフォーカス調整を行う。アライメント、及びフォーカスの調整の完了後、撮影スイッチ４ｂからのトリガ信号、または自動にて眼底撮影が行われる。
【００２９】
なお、被検者眼が白内障等で混濁している場合、被検者眼が円錐角膜等の場合には、自動アライメントモードでは撮影がうまく出来ないときがある。この場合、手動アライメントモードでの撮影が行われる。
【００３０】
本実施形態の手動アライメントモードについて説明する。なお、ここでは、撮影部３のＺ方向の動作を中心に説明する。
測定に際して、検者はモード切換スイッチ９１により手動アライメントモードに切換える。モード切換スイッチ９１からの信号が制御部８０に入力されると、制御部８０はＸＺ駆動部を駆動させて、撮影部３を自動アライメントモードにおける基準位置に対して前側（被検者側）に位置させ固定させる。なお、より好ましくは稼動範囲ｄｚの範囲で最も被検者側に移動させ固定させる。
【００３１】
図４（ａ）に眼底撮影の位置合わせ完了後の被検者眼Ｅと撮影部３との位置関係を示す。このように撮影部３の固定位置を自動アライメントモードにおける撮影部３の基準位置よりも前側に置くことにより、撮影部３をより前側（被検者側）に位置させることができる。その結果、自動アライメントモード時と同程度の前側限界位置まで撮影部３を前進させることができ、所定の関係に位置合わせすることが難しい奥目等の被検者眼であっても、撮影に必要な光学距離を可能な限り得ることができ好適に撮影することができる。なお、撮影部３の左右方向の位置は自動アライメントモードと同じ基準位置、言い換えれば稼動範囲ｄｘにおける中間位置とされる。
【００３２】
被検者眼Ｅに対する上下左右方向に関するアライメントは、図３に示すようにモニタ８に表示される前眼部像Ｆの瞳孔中心付近にレチクルＭが位置するように移動台２を移動させ、前後方向は前述したアライメント状態の検出結果に基づいてモニタ８に表示される図示なきインジケータに従って位置合わせを行う。前眼部でのアライメントの完了後、前眼／眼底切換スイッチ２ａの操作、あるいは制御部８０の眼底像への切換え信号に基づいて、モニタ８に眼底画像を切換え表示させる。
【００３３】
検者はモニタ８に表示される眼底像を見ながらフォーカス調整スイッチ９３を操作して、マニュアルでフォーカス調整を行う。制御部８０は、フォーカス調整スイッチ９３からの入力信号に基づき、移動機構４９を駆動させフォーカシングレンズ３２を前後に移動させる。そして、所望する部位が良好に観察できていれば、撮影スイッチ４ｂを押して撮影を行う。制御部８０は、撮影スイッチ４ｂからの入力信号に基づき、挿脱機構３９を駆動させて跳ね上げミラー３４を光路から離脱させ、挿脱機構６６を駆動させてダイクロイックミラー２４を光路から離脱させると共に、撮影光源１４を発光させる。このとき、二次元撮像素子３５により眼底像が撮影され、メモリ８５に撮影された画像データが記憶される。そして、制御部８０は、モニタ８の表示画面を二次元撮像素子３５で撮影されたカラーの眼底画像に切換える。
【００３４】
上記では、モード切換スイッチ９１からの手動アライメントモードへの切換え信号に連動させて、撮影部３が被検者側へ移動される例を述べたが、これに限られるものではない。例えば、手動アライメントモードに設定された状態で、移動台２が稼動範囲Ｄｚの移動限界Ａ（検者側移動限界位置）に移動されたことが、センサ１０ａで検知されたときに、制御部８０によるＸＺ駆動部７の駆動により撮影部３を一旦検者側に移動させる。これにより、モニタ８に表示される前眼部像をより見易くできる。そして、移動台２が移動限界Ａから被検者側へ移動し始めたことがセンサ１０ａで検出されると、制御部８０はＸＺ駆動部７の駆動により撮影部３を被検者側へと移動させることもできる。
【００３５】
この場合、自動アライメントで使用される指標像Ｍａ，Ｍｂの中間位置（角膜頂点位置）が利用されると良い。撮影部３により角膜頂点位置が得られない状態では、撮影部３を稼動距離ｄｚで被検者側へと移動させていく。一方、撮影部３が被検者側に移動されることで次第に指標像Ｍａ〜Ｍｄが検出され、制御部８０により角膜頂点位置が画像処理で得られたときに、撮影部３の被検者側への移動を停止させ、撮影部３を固定させるようにする。
【００３６】
以上の説明では、眼底撮影を行う場合を述べたが、眼底カメラでは被検者眼の疾患情報等を得るために、前眼部像の撮影が行われる場合がある。しかし、眼底カメラの撮影光学系は眼底撮影用に設計されているので、これを前眼部像の撮影に利用しようとすると、移動台２を最も検者側に引いた状態でも前眼部像にピントを合わせるのが困難である。このため、本実施形態では前眼部撮影用のモード切換え信号に基づいて前眼部撮影用の補正レンズ５５を撮影光学系の光路に挿入するとともに撮影部３の前後方向の固定位置を自動アライメントモードにおける基準位置よりも後側（検者側）、より好ましくは撮影部３の稼動範囲ｄｚにおいて最も検者側の位置に固定させるように制御を行う。これにより被検者眼Ｅと撮影部３との間における撮影のための光学距離を確保し、好適な操作性が得られるようにしている。
【００３７】
ここでは、撮影切換スイッチ９２の操作により、撮影部３が稼動範囲ｄｚで最も被検者側に移動される眼底撮影モードと、撮影部３が稼動距離ｄｚで最も検者側に移動される前眼部撮影モードとが切換えられるようにする。モード切換スイッチ９１により手動アライメントモードに切換えられた初期状態では、使用頻度の多い眼底撮影モードに設定され、撮影部３は制御部８０により最も被検者側へ移動される。撮影切換スイッチ９２により前眼部撮影モードが選択されると、制御部８０はＸＺ駆動部７の駆動により撮影部３を最も検者側へと移動させる。
【００３８】
図４（ｂ）に前眼部撮影の位置合わせ完了後の被検者眼Ｅと撮影部３との位置関係を示す。なお、前眼部撮影では移動台２は稼動範囲Ｄｚで最も検者側（移動限界Ａ）まで移動される。このように、前眼部撮影モードで撮影部３が検者側に移動させることで、従来よりも被検者眼Ｅと撮影部３との距離Δｚ２を広く取ることができるようになり、前眼部像のピント調節がし易くなる。
【００３９】
なお、ここでは、手動アライメントモードにおいて、眼底撮影モードと前眼部撮影モードとを切換える場合を述べたが、自動アライメントモードで眼底撮影がされた後で、前眼部像の撮影が行われる場合もある。そこで、自動アライメントモードから前眼部撮影モードに直接切換えができると都合が良い。自動アライメントモードによる眼底撮影が完了し、前眼部撮影を行う場合は、切換スイッチ９２が選択されるようにする。制御部８０は切換スイッチ９２からの入力信号により、ＸＺ駆動部７の駆動により測定部３を稼動範囲ｄｚで検者側に移動させる。これにより、自動アライメントによる眼底撮影から前眼部撮影モードに直接切換えられるので、前眼部像撮影と眼底撮影の切換操作がより簡単になる。以上のように、撮影部３の稼動距離ｄｚを効果的に活用することで、眼底像および前眼部像を撮影する際の位置合わせがより行い易くなる。
【００４０】
さらに、上記では、撮影部３のＺ方向の稼動距離ｄｚを活用する方法を中心に述べたが、同様に、撮影部３の左右方向（Ｘ方向）の稼動距離ｄｘも活用されることで、よりアライメントの操作がし易くなる。この場合にはセンサ１０ｂからの検知信号が利用される。センサ１０ｂは、移動台２とセンサ１０ｂとの位置関係により、移動台２の左右位置を検出する。制御部８０ははセンサ１０ｂからの信号に応じて、移動台２が左側にある場合は、撮影部３を稼動距離ｄｘで最も左側へと移動させる。移動台２が右側にある場合は撮影部３を稼動距離ｄｘで最も右側へと移動させる。このように、手動アライメントの場合に、撮影部３の位置が自動的に前後左右方向に調節されることで、撮影範囲の自由度が高くなり、眼底撮影または前眼部撮影を行う場合の位置合わせがし易くなる。
【００４１】
上記では眼底撮影装置として眼底カメラを例に挙げて説明したが、眼底に対して二次元的にレーザ光を走査して、その反射を受光することにより眼底像を得る眼底撮影装置にも適用できる。
【図面の簡単な説明】
【００４２】
【図１】眼底撮影装置の一種である眼底カメラの外観構成図である。
【図２】撮影部に収納される光学系及び制御系の概略構成図である。
【図３】モニタに表示される前眼部像の例である。
【図４】位置合わせ完了後の被検者眼と撮影部との位置関係を示す図である。
【符号の説明】
【００４３】
２  移動台
３  撮影部
１０  照明光学系
１０ａ、１０ｂ  センサ
３０  眼底観察・撮影光学系
４０  フォーカス指標光学系
５０  アライメント指標投影光学系
６０  前眼部観察光学系
７０  固視標呈示光学系
８０  制御部
９１  モード切換スイッチ
９２  撮影切換スイッチ
【図１】
2011005005.tif 000003
【図２】
2011005005.tif 000004
【図３】
2011005005.tif 000005
【図４】
2011005005.tif 000006